(57)【要約】【課題】光ケーブル等を簡単に導入できると共に、一度導入した光ケーブル等が脱落することがなく、しかも光配線架内に実装される光関連機器の取付け時の作業スペースを確保できるジャンパリングを提供する。【解決手段】光配線架１内の側面３１などに取り付けられ光配線架１内などに導入された光コード９を収容すべくコ字状に形成されたジャンパリング本体１０を有し、そのジャンパリング本体１０の第１アーム部１２と第２アーム部１３の先端に、互いに向き合うように設けられた第１および第２コード固定棒１４ａ、１４ｂを有する。ジャンパリング本体１０の第１アーム部１３を、基部側片１２ａと第１コード固定棒１４ｂが取り付けられる先端部側片１２ｂで形成し、その先端部側片１２ｂを基部側片１２ａに対して上方に回動して、ジャンパリング本体１０内に光コード９を導入する。【選択図】図２
2007206417.tif 000002
【特許請求の範囲】
【請求項１】
光ケーブルまたは光コードを収容すべくコ字状に形成されたジャンパリング本体を有し、そのジャンパリング本体の第１アーム部と第２アーム部の先端に、互いに向き合うように設けられた第１および第２コード固定棒を有するジャンパリングにおいて、ジャンパリング本体の第１アーム部を、基部側片と第１コード固定棒が取り付けられる先端部側片で形成し、その先端部側片を基部側片に対して回動可能に設けたことを特徴とするジャンパリング。
【請求項２】
ジャンパリング本体が、光配線架内の側面などに取り付けられた保持部材に下方回動可能に設けられ、そのジャンパリング本体の光配線架内の側面に位置した基部が、ネジで光配線架内の側面に固定され、ネジを緩めることで、ジャンパリング本体が下方に９０°回動する請求項１記載のジャンパリング。
【請求項３】
第１コード固定棒と第２コード固定棒の先端に嵌め合い部が形成され、先端部側片が基部側片に蝶ネジで一体に連結され、蝶ネジを緩めることで、先端部側片を基部側片より若干離して、上記嵌め合い部で連結された第１コード固定棒を第２コード固定棒から外して先端部側片を、上方に１２０°回動させる請求項１又は２記載のジャンパリング。
【請求項４】
ジャンパリング本体は、保持部材に、光配線架内の側面から離れる方向に移動可能に、かつ回動可能に設けられ、上記ネジを緩め、前記ジャンパリング本体を光配線架内の側面から離れる方向に移動させた後、下方に回動可能とする請求項２記載のジャンパリング。
【請求項５】
上記第１アーム部の基部側片と先端部側片のいずれか一方にストッパが、他方にストッパ受けが設けられて、先端部側片が下方への回動が規制される請求項３記載のジャンパリング。
【発明の詳細な説明】
【技術分野】
【０００１】
本発明は、光ファイバケーブル網の光ファイバケーブルと、各光ファイバケーブルの末端に接続された光コードや光ファイバとを配線収納する光配線架内に用いられ、その光配線架内で光ファイバケーブルや光コードを保持する配線補助用金具としてのジャンパリングに関するものである。
【背景技術】
【０００２】
近年、道路、河川、高層ビルなどの施設において、各種制御、防災管理、各種情報の発信などに使用するため、光ファイバケーブル網が構築されている。この光ファイバケーブル網には、光ファイバケーブル網沿線上に設置した監視カメラや各種センサが接続され、各種の情報を管理所に送り、さらに各管理所から中央の情報センタに伝送する。
【０００３】
また、高層ビル内では、各フロア端末部からの情報が情報センタに集約される。
【０００４】
情報センタには、このように管理所または各フロア端末部から各種の情報を伝送する光ファイバケーブル（以下光ケーブルと略称する）が集中し、光ケーブルの端末処理をするための光配線架が、設置条件等から寸法制約を受けるので、高密度化している。
【０００５】
高密度型の光配線架は、光ファイバ同士を接続するトレイを収納するトレイ収納部が上下に多段に設け、その両側に光ケーブルなどを案内するためのジャンパリングが多段に設けられている（特許文献１）。
【０００６】
図６は、従来のジャンパリングを示し、図６（ａ）は平面図、図６（ｂ）は正面図、図６（ｃ）は背面図であり、図６（ｄ）は左側面図である。
【０００７】
図６（ａ）において、ジャンパリング２７の左側が光配線架の前面側で、右側が奥側になるように光配線架に取り付けられる。
【０００８】
ジャンパリング２７は、コの字型のジャンパリング本体２８と、ジャンパリング本体２８の両先端に、それぞれネジ２３Ａ、２３Ｂで一端が固定されて互いに向かう合うように設けられたコード固定棒２９ａ、２９ｂとからなる。
【０００９】
ジャンパリング本体２８は、光配線架内の両側面に取り付けるためのネジ穴３０を有している。
【００１０】
コード固定棒２９ａはコード固定棒２９ｂより短く、両者の先端はわずかの間隙を残して対向し、ジャンパリング本体２８内で、光ケーブルまたは光コード９の束を導入して保持する。
【００１１】
ジャンパリング本体２８内に、光ケーブルまたは光コード９を導入する際には、ネジ２３Ａを外してコード固定棒２９ａを外すことにより行なう。
【００１２】
また、特許文献１には、リング状のジャンパリングの例として、光コードまたは光ファイバを保持する穴を、半円の空所を有する半割状のスポンジを対向して組み合わせて取り付けるようにし、スポンジをリング状のジャンパリングに挟み込む例が示されている。
【００１３】
【特許文献１】特開平９−１５９８４０号公報
【発明の開示】
【発明が解決しようとする課題】
【００１４】
しかしながら、ジャンパリング２７はリング形状であり、短いコード固定棒２９ａを外して、光ケーブルまたは光コード９を導入し、その後コード固定棒２９ａを再び取り付ける必要があり作業性が悪い。
【００１５】
複数段のジャンパリング２７を同時に開口状態にして新たな光ケーブルまたは光コード９の導入作業を行なっている場合、最後にまとめてコード固定棒２９ａを取り付けて開口部を閉じるとすると、ジャンパリング内に導入した光ケーブルまたは光コード９がジャンパリング内から脱落してしまうという問題もある。
【００１６】
さらに、ジャンパリング２７は、光配線架内の側面からトレイ収容部側に突出して固定されており、光配線架内で実装される光関連機器の取付け時に作業スペースを充分に確保できなくなるという問題がある。
【００１７】
また、半割状のスポンジをリング状のジャンパリングと一緒に使用する場合は、半割状のスポンジ形状により光ケーブルまたは光コード９、光ファイバの配線実装数が制約されてしまうという問題がある。
【００１８】
本発明は、上記の問題点を解決するために、光ケーブルや光コード、光ファイバを簡単に導入できると共に、一度導入した光ケーブルや光コード、光ファイバが脱落することがなく、しかも光配線架内に実装される光関連機器の取付け時の作業スペースを確保できるジャンパリングを提供することを目的とする。  
【課題を解決するための手段】
【００１９】
上記目的を達成するために請求項１の発明は、光ケーブルまたは光コードを収容すべくコ字状に形成されたジャンパリング本体を有し、そのジャンパリング本体の第１アーム部と第２アーム部の先端に、互いに向き合うように設けられた第１および第２コード固定棒を有するジャンパリングにおいて、ジャンパリング本体の第１アーム部を、基部側片と第１コード固定棒が取り付けられる先端部側片で形成し、その先端部側片を基部側片に対して回動可能に設けたことを特徴とするジャンパリングである。
【００２０】
請求項２の発明は、ジャンパリング本体が、光配線架内の側面などに取り付けられた保持部材に下方回動可能に設けられ、そのジャンパリング本体の光配線架内の側面に位置した基部が、ネジで光配線架内の側面に固定され、ネジを緩めることで、ジャンパリング本体が下方に９０°回動する請求項１記載のジャンパリングである。
【００２１】
請求項３の発明は、第１コード固定棒と第２コード固定棒の先端に嵌め合い部が形成され、先端部側片が基部側片に蝶ネジで一体に連結され、蝶ネジを緩めることで、先端部側片を基部側片より若干離して上記嵌め合い部で連結された第１コード固定棒を第２コード固定棒から外して、先端部側片を、上方に１２０°回動させる請求項１又は２記載のジャンパリングである。
【００２２】
請求項４の発明は、ジャンパリング本体は、保持部材に、光配線架内の側面から離れる方向に移動可能に、かつ回動可能に設けられ、上記ネジを緩め、前記ジャンパリング本体を光配線架内の側面から離れる方向に移動させた後、下方に回動可能とする請求項２記載のジャンパリングである。
【００２３】
請求項５の発明は、上記第１アーム部の基部側片と先端部側片のいずれか一方にストッパが、他方にストッパ受けが設けられて、先端部側片が下方への回動が規制される請求項３記載のジャンパリングである。
【発明の効果】
【００２４】
本発明によれば、ジャンパリング本体の第１アーム部を、基部側片と先端側片とで形成し、第１コード固定棒が取り付けられた先端側片を基部側片に対して回動自在とすることで、ジャンパリング本体を簡単に開いて光ケーブル等を導入することができる。またジャンパリング本体を下方に回動可能に設けることで、高密度型の光配線架内に実装される光関連機器の取り付け時の作業スペースを十分確保できる。
【発明を実施するための最良の形態】
【００２５】
以下、本発明の好適な一実施の形態を添付図面に基づいて詳述する。
【００２６】
先ず、本発明のジャンパリングが取り付けられる光配線架の構成を図１により説明する。
【００２７】
図１において、図１（ａ）は、高密度型の光配線架の正面図、図１（ｂ）は、扉を外した状態の内部の正面図、図１（ｃ）は内部の右側面図、図１（ｄ）は内部の平面図である。
【００２８】
光配線架１は、縦長箱状に形成され、前面には開閉扉２が設けられ、左右両側面と背面は、取り外し自在なパネルで構成されている。
【００２９】
光配線架１内には、正面中央の最上段に外部から光ケーブルを取り込んで固定するケーブル把持部５が設けられ、その下方に、光ファイバを接続し収容するトレイ６を、前後方向に出し入れ可能に収納するトレイ収納部７が上下に多段に設けられている。
【００３０】
トレイ収納部７の左右には光ケーブルまたは光コード、光ファイバの配線作業や光関連機器を実装する際の作業スペースＳが形成され、その作業スペースＳに位置して、光配線架１内の両側面３１に、トレイ収納部７に対向するようにジャンパリング３Ａ、３Ｂが上下に多段に取り付けられるようになっている。
【００３１】
左側の作業スペースＳは、例えば光配線架１内に引き込まれた多数の光ケーブルの端末を処理するためのものであり、各光ケーブルはジャンパリング３Ａで保持され所定のトレイ６に導かれ、右側の作業スペースＳは、光配線架内の多心の光コードや光ファイバを処理するものであり、ジャンパリング３Ｂで保持して導かれる。
【００３２】
なお、上述の光配線架１は、光ケーブル等を上部から導入する例を示したが、光ケーブル等が床下に配線される場合には、下から導入する光配線架でもよい。
【００３３】
さて、図２〜図４により本発明のジャンパリングを説明する。
【００３４】
図２は、ジャンパリングの詳細な構成を示す斜視図、図３（ａ）はジャンパリングの平面図、図３（ｂ）は正面図、図３（ｃ）は図３（ｂ）のＡ−Ａ矢視図、図３（ｄ）は図３（ｂ）のＢ−Ｂ矢視図である。
【００３５】
また、図２（ｂ）の正面図において、左側が光配線架の前面側、右側が奥側に当たり、さらに図３（ｅ）は、ジャンパリングを取り付ける左右対になっている右側の保持部材の正面図である。
【００３６】
ジャンパリング３Ａは、基部１１と、基部１１の前端側に設けられた第１アーム部１２と、基部１１の後端側に設けられた第２アーム部１３とで、全体にコ字状に形成されたジャンパリング本体１０からなり、その第１アーム部１２の先端側に第１コード固定棒１４ａが、第２アーム部１３の先端側に第２コード固定棒１４ｂが互いに向き合うように設けられて構成される。
【００３７】
第１アーム部１２は、基部１１と一体に形成されてＬ字状に折り曲げられた基部側片１２ａと、基部側片１２ａに対して、蝶ネジ１６にて、上下回動自在に設けられた先端部側片１２ｂとからなり、基部側片１２ａにストッパ２０ａが、また先端部側片１２ｂに、切り欠きであるストッパ受け２０ｂが形成され、常時はストッパ受け２０ｂがストッパ２０ａに当たって、基部側片１２ａに対して先端部側片１２ｂが、水平に延びるように保持されて、下方への回動が規制されている。
【００３８】
第２アーム部１３は、基部１１と一体に形成されてＬ字状に折り曲げられて形成される。
【００３９】
第１コード固定棒１４ａは、第１アーム部１２の先端部側片１２ｂに、ネジ２３Ａにより固定され、また第２コード固定棒１４ｂは、第２アーム部１３の先端にネジ２３Ｂにより固定される。第１コード固定棒１４ａは、第２コード固定棒１４ｂより短くされ、両方のコード固定棒１４ａ、１４ｂの先端には、蝶ネジ１６を締め付けたときにコード固定棒１４ａ、１４ｂが一体となるような嵌め合い部１５が形成されている。
【００４０】
ジャンパリング本体１０は、光配線架の側面３１の支持部材３１ａに設けた保持部材４に下方回動可能に取り付けられる。
【００４１】
先ず、保持部材４は、取付片４ａと支持片４ｂでＬ字状に形成され、取付片４ａが、支持部材３１ａにネジ２５で固定され、支持片４ｂに長穴１９が形成される。
【００４２】
ジャンパリング本体１０は、その第１アーム部１２の基部側片１２ａと第２アーム部１３に回転軸突起１８が設けられ、その回転軸突起１８が保持部材４の長穴１９に挿入されることで、ジャンパリング本体１０が回動可能に、また第１と第２アーム部１２，１３の長手方向に移動可能に保持される。
【００４３】
このジャンパリング本体１０の基部１１は、ネジ（ローレットネジ）１７にて、支持部材３１に接触するように固定される。この際、基部１１の上縁が、保持部材４の取付片４ａの下縁に当接して下方への回動が阻止されるようになっている。また基部１１には、ローレットネジ１７を挿通する切欠穴１１ａ（図３、図５参照）が形成される。この切欠穴１１ａは、基部１１の下辺に開口して形成され、これにより後述するように、ローレットネジ１７を緩めてジャンパリング本体１０を下方に回動した際に、基部１１が上方に移動してローレットネジ１７から外れるようになっている。
【００４４】
次に、本発明の作用を説明する。
【００４５】
ジャンパリング３Ａに光ケーブル９を導入する際には、図４に示すように蝶ネジ１６を緩める。この蝶ネジ１６を緩めることで、第１アーム部１２の先端部側片１２ｂは、基部側片１２ａに対して若干離すことができ、これにより第１コード固定棒１４ａと第２コード固定棒１４ｂの嵌め合い部１５が外れ、先端部側片１２ｂが第１コード固定棒１４ａと共に上方に回動できるようになる。先端部側片１２ｂを保持部材４の支持片４ｂに当たるまで約１２０°回動することで、先端部側片１２ｂは、支持片４ｂに当たった状態に保持される。
【００４６】
これにより、ジャンパリング３Ａは、第１コード固定棒１４ａで閉じた状態から開いた状態となり、その開口部から光ケーブル９をジャンパリング本体１０内に導入する。
【００４７】
その後、第１アーム部１２の先端部側片１２ｂを、ストッパ２０ａに当たるまで下方に回動させた後、蝶ネジ１６を締め付けると、第１および第２コード固定棒１４ａ、１４ｂの先端の嵌め合部１５が嵌り、一体になる。その結果、ジャンパリング３Ａは閉じた状態となり、光ケーブル９がジャンパリング３Ａからの脱落を防止できる。
【００４８】
このジャンパリング３Ａの開閉は、蝶ネジ１６を緩めて、先端部側片１２ｂと第１コード固定棒１４ａを上方に回動するだけの簡単な操作で行うことができるため、光ケーブル９の出し入れが簡単にできる。
【００４９】
ジャンパリング３Ａへの光ケーブル９の導入は、図１に示した光配線架１で、ケーブルを上方から導入する場合には、順次上段のジャンパリング３Ａを開閉していくが、下方のジャンパリング３Ａでは、未だ光ケーブル９を導入する必要がなく、そのまま作業スペースＳにジャンパリング３Ａが突出した状態にしておくと、光関連機器の実装時にスペースＳが充分に確保できなくなる。このため、光ケーブル９を導入していないジャンパリング３Ａは、予め下方に回動しておく。
【００５０】
すなわち、ジャンパリング３Ａを下方に回動させるには、光配線架を設置の当初で、光ケーブルまたは光コード、光ファイバをジャンパリング内に導入する前に光関連機器を光配線架１内に取り付けるために作業スペースＳを広く使いたい場合とか、光ケーブルまたは光コード９、光ファイバの末端処理のために上段のトレイ６から使用し、下段のトレイ６には空きがあり、光関連機器の増設のため光関連機器を空いているトレイ６内に取り付ける際に、その部分の作業空間を広くしたい場合である。
【００５１】
そこで図５に示すように、ジャンパリング本体１０を支持部材３１ａに固定しているローレットネジ１７を緩め、ジャンパリング本体１０を、矢印Ｘの方向に引いて、回転軸突起１８を長穴１９に沿ってずらす。これにより、保持部材４の取付片４ａからジャンパリング本体１０の基部１１が離れてジャンパリング本体１０が回転軸突起１８を中心に回動できるようになり、ジャンパリング本体１０を矢印Ｙ方向に回動させて、ジャンパリング本体１０を９０°下向きとなる状態とすることで、作業スペースを確保できる。
【００５２】
このローレットネジ１７を緩めた際、基部１１には、下方への切欠穴１１ａを形成しておくことで、ローレットネジ１７を緩めるだけでジャンパリング本体１０を回動することができる。
【００５３】
ジャンパリング本体１０を元の状態に戻す時は、上記の逆の手順で行なう。
【００５４】
図２から図５では、ジャンパリング３Ａについて説明したがジャンパリング３Ｂについても同様である。
【００５５】
以上の結果、高密度型の光配線架内の配線時間の短縮および配線変更時の光ケーブルまたは光コード、光ファイバの取扱い作業性を向上できる。また、細い光ファイバも脱落しにくい。
【００５６】
本発明は、上述した実施の形態に限定されるものでなく、ジャンパリング３Ａを開く際に、先端部側片１２ｂを基部側片１２ａに対して上方に回動するように設ける例で説明したが、先端部側片１２ｂと基部側片１２ａを蝶番などで連結して先端部側片１２ｂを前方に回動させて開くようにしてもよい。
【図面の簡単な説明】
【００５７】
【図１】本発明のジャンパリングが適用される光配線架の構成を示す図である。
【図２】本発明の一実施の形態を示す斜視図である。
【図３】図１の詳細を示す図である。
【図４】本発明において、光ケーブルを導入する際の第１アーム部の動作を説明する図である。
【図５】本発明において、ジャンパリング本体を下方に回動させるときの説明図である。
【図６】従来のジャンパリングの構成を示す図である。
【符号の説明】
【００５８】
１  光配線架
３Ａ、３Ｂ  ジャンパリング本体
４  保持部材
９  光ケーブルまたは光コード
１０  ジャンパリング本体
１１  基部
１２  第１アーム部
１２ａ  基部側
１２ｂ  端部側
１３    第２アーム部
１４ａ  第１コード固定棒
１４ｂ  第２コード固定棒
１５  嵌め合い部
１６  蝶ネジ
１７  ローレットネジ
１８  回転軸突起
１９  長穴
【図１】
2007206417.tif 000003
【図２】
2007206417.tif 000004
【図３】
2007206417.tif 000005
【図４】
2007206417.tif 000006
【図５】
2007206417.tif 000007
【図６】
2007206417.tif 000008